(57)【要約】【課題】像面湾曲調整において像面のうちピント位置を移動させる領域を容易に選択できるようにする。【解決手段】画像投射装置１００は、投射光学系２００ａを通して被投射面に画像を投射する。画像投射装置１００は、被投射面におけるピント位置を移動させることが可能な複数の領域を表示する領域表示手段１１１，１１２と、複数の領域のうち選択された領域のピント位置を移動させて像面を湾曲させるように投射光学系を制御する制御手段１０４とを有する。【選択図】図１
2020144244.tif 000002
【特許請求の範囲】
【請求項１】
投射光学系を通して被投射面に画像を投射する画像投射装置であって、
前記被投射面におけるピント位置を移動させることが可能な複数の領域を表示する領域表示手段と、
前記複数の領域のうち選択された領域の前記ピント位置を移動させて像面を湾曲させるように前記投射光学系を制御する制御手段とを有することを特徴とする画像投射装置。
【請求項２】
前記複数の領域は、前記像面のうち第１の領域と該第１の領域よりも外側の第２の領域とを少なくとも含むことを特徴とする請求項１に記載の画像投射装置。
【請求項３】
前記制御手段は、湾曲した前記像面を平面に戻すように前記投射光学系を制御する場合に、前記複数の領域のうち選択された領域の前記ピント位置を移動前の位置に戻すことを特徴とする請求項１または２に記載の画像投射装置。
【請求項４】
前記制御手段は、湾曲した前記像面を平面に戻すように前記投射光学系を制御する場合に、前記複数の領域のうち選択された領域と異なる領域の前記ピント位置を移動させることを特徴とする請求項１または２に記載の画像投射装置。
【請求項５】
前記制御手段は、前記複数の領域の全てが選択された場合は、該複数の領域の前記ピント位置を前記光軸方向に移動させて前記像面を平面のまま移動させるように前記投射光学系を制御することを特徴とする請求項１から４のいずれか一項に記載の画像投射装置。
【請求項６】
前記投射光学系を前記光軸方向に直交する方向にシフトさせるシフト機構を有し、
前記領域表示手段は、前記投射光学系のシフト位置に応じて前記複数の領域の表示を変更することを特徴とする請求項１から５のいずれか一項に記載の画像投射装置。
【請求項７】
前記投射光学系は投射画角を変更するズームが可能であり、
前記領域表示手段は、前記投射画角に応じて前記複数の領域の表示を変更することを特徴とする請求項１から５のいずれか一項に記載の画像投射装置。
【請求項８】
前記画像投射装置は、入力された映像信号に応じた前記画像を投射し、
前記領域表示手段は、前記映像信号の入力アスペクトに応じて前記複数の領域の表示を変更することを特徴とする請求項１から５のいずれか一項に記載の画像投射装置。
【請求項９】
前記領域表示手段は、前記画像の投射アスペクトに応じて前記複数の領域の表示を変更することを特徴とする請求項１から５のいずれか一項に記載の画像投射装置。
【請求項１０】
前記画像投射装置は、前記画像の歪みを補正する歪み補正手段を有し、
前記領域表示手段は、前記歪みの補正に応じて前記複数の領域の表示を変更することを特徴とする請求項１から５のいずれか一項に記載の画像投射装置。
【請求項１１】
前記画像投射装置は、前記投射光学系の交換が可能であり、
前記領域表示手段は、前記画像投射装置に装着された投射光学系に応じて前記複数の領域の表示を変更することを特徴とする請求項１から５のいずれか一項に記載の画像投射装置。
【請求項１２】
投射光学系を通して被投射面に画像を投射する画像投射装置の制御方法であって、
前記画像投射装置に、
前記被投射面におけるピント位置を移動させることが可能な複数の領域を表示させるステップと、
前記複数の領域のうち選択された領域の前記ピント位置を移動させて像面を湾曲させるように前記投射光学系を制御するステップとを有することを特徴とする画像投射装置の制御方法。
【請求項１３】
投射光学系を通して画像を投射する画像投射装置のコンピュータに、請求項１２に記載の制御方法に従う処理を実行させることを特徴とするコンピュータプログラム。
【発明の詳細な説明】
【技術分野】
【０００１】
本発明は、像面を湾曲させることが可能な画像投射装置（以下、プロジェクタという）に関する。
【背景技術】
【０００２】
プロジェクタには、曲面スクリーンに対して投射画像全体のピントを合わせることができるように像面を湾曲させる機能を有するものがある。特許文献１には、投射光学系のレンズ群の間隔を変化させることで像面湾曲の調整が可能なプロジェクタが開示されている。特許文献２には、投射光学系の像面湾曲調整に伴う画角変動を低減可能なプロジェクタが開示されている。
【先行技術文献】
【特許文献】
【０００３】
【特許文献１】特開２０１１−１４５５８０号公報
【特許文献２】特開２０１７−０４９４２２号公報
【発明の概要】
【発明が解決しようとする課題】
【０００４】
しかしながら、特許文献１、２に開示されたプロジェクタでは、像面湾曲の調整時に像面のうちピント位置を移動させる領域を選択することができない。このため、像面湾曲調整を行うと、それに続いてフォーカス調整も必要となることが多い。
【０００５】
本発明は、像面湾曲調整において像面のうちピント位置を移動させる領域を容易に選択できるようにしたプロジェクタを提供する。
【課題を解決するための手段】
【０００６】
本発明の一側面としての画像投射装置は、投射光学系を通して被投射面に画像を投射する。画像投射装置は、被投射面におけるピント位置を移動させることが可能な複数の領域を表示する領域表示手段と、複数の領域のうち選択された領域のピント位置を移動させて像面を湾曲させるように投射光学系を制御する制御手段とを有することを特徴とする。
【０００７】
本発明の他の一側面としての制御方法は、投射光学系を通して被投射面に画像を投射する画像投射装置に適用される。制御方法は、画像投射装置に、被投射面におけるピント位置を移動させることが可能な複数の領域を表示させるステップと、複数の領域のうち選択された領域のピント位置を移動させて像面を湾曲させるように投射光学系を制御するステップとを有することを特徴とする。
【０００８】
なお、画像投射装置のコンピュータに、上記制御方法に従う処理を実行させるコンピュータプログラムも、本発明の他の一側面を構成する。
【発明の効果】
【０００９】
本発明によれば、ピント位置を移動させる領域を容易に選択することができ、像面湾曲調整を簡単に行うことができる。
【図面の簡単な説明】
【００１０】
【図１】本発明の実施例１であるプロジェクタの構成を示すブロック図。
【図２】実施例１におけるフォーカス調整と像面を示す図。
【図３】実施例１における像面湾曲調整を示す図。
【図４】実施例１における像面湾曲調整を示す別の図。
【図５】実施例１における調整ガイド画像を示す図。
【図６】実施例１における調整ガイド画像を示す別の図。
【図７】実施例１における調整ガイド画像を示すさらに別の図。
【図８】実施例１における調整ガイド画像を示す他の図。
【図９】実施例１における処理を示すフローチャート。
【図１０】本発明の実施例２であるプロジェクタの構成を示すブロック図。
【図１１】実施例２におけるレンズシフト調整と像面湾曲を示す図。
【図１２】実施例２における調整ガイド画像を示す図。
【図１３】実施例２におけるズーム調整と像面湾曲を示す図。
【図１４】実施例２における調整ガイド画像を示す別の図。
【図１５】実施例２における調整ガイド画像を示すさらに別の図。
【図１６】実施例２における処理を示すフローチャート。
【図１７】本発明の実施例３であるプロジェクタの構成を示すブロック図。
【図１８】実施例３における処理を示すフローチャート。
【図１９】本発明の実施例４であるプロジェクタにおける調整ガイド画像を示す図。
【発明を実施するための形態】
【００１１】
以下、本発明の実施例について図面を参照しながら説明する。
【実施例１】
【００１２】
図１は、本発明の実施例１であるプロジェクタ（画像投射装置）１００の構成を示している。光源部１０１は、高圧水銀ランプ、メタルハライドランプ等の各種ランプ、ＬＥＤまたはレーザーダイオード等により構成され、照明光を発する。
【００１３】
光変調部１０２は、液晶パネルやデジタルマイクロミラーデバイス（ＤＭＤ） 等の光変調素子により構成される。光変調部１０２は、後述する変調駆動部１１０からの変調駆動信号に応じて駆動されてその変調面に原画を形成し、該原画に応じて照明光を変調する。
【００１４】
操作入力部１０３は、ユーザ操作に応じた操作信号の入力を受け付ける。操作信号は、プロジェクタ１００に備えられたボタンやスイッチ等の操作ユニット、リモコン装置および通信機能を有する携帯端末機器等に対するユーザ操作により発せられる。操作信号の入力を受け付けた操作入力部１０３は、操作情報を制御部１０４に送信する。
【００１５】
制御手段としての制御部１０４は、ＣＰＵやＲＡＭ／ＲＯＭ等から構成されるプログラム制御可能なプロセッサにより構成される。操作部１０３から受信した操作情報に基づいて変調駆動部１１０、像面湾曲調整部１０６およびフォーカス調整部１０５を制御する。
【００１６】
変調駆動部１１０は、ＯＳＤ部１１１と映像処理部１１２とを有する。映像処理部１１２は、外部から入力された映像信号に対して信号デコード、インタレース・プログレッシブ変換、フレームレート変換、解像度変換、アスペクト変換、色補正および形状変換等の各種補正を行って変調用映像信号を生成し、これを変調駆動信号に変換して光変調部１０２に出力する。ＯＳＤ部１１１は、メニュー、ポインタおよびチャート等のＯＳＤ画像を表示するためのＯＳＤ画像信号を生成する。映像処理部１１２は、映像信号にＯＳＤ画像信号を合成した変調用映像信号を生成し、これを変調駆動信号に変換して光変調部１０２に出力する。光変調部１０２は、変調駆動部１１０からの変調駆動信号に応じて駆動されて原画を形成し、該原画に応じて照明光を変調することで、映像信号（およびＯＳＤ画像信号）に応じた画像を投射するための画像光を生成する。
【００１７】
投射レンズユニット２００は、画像光（投射光）をスクリーン等の被投射面３００に拡大投射して投射画像を形成する投射光学系２００ａを有する。投射光学系２００ａは、その光軸が延びる方向である光軸方向に配置された複数のレンズ素子等の光学素子（以下、レンズという）により構成される。投射レンズユニット２００は、投射光学系２００ａの像面全体の光軸方向での位置である像面位置（被投射面におけるピント位置）を調整するためのフォーカスレンズを駆動するフォーカス調整部１０５と、像面の湾曲を調整するための湾曲調整レンズを駆動する像面湾曲調整部１０６とを有する。像面とは、投射光学系から投射面に投射される画像である投射画像のピントが合う面である。以下の説明において、像面位置の調整をフォーカス調整といい、像面の湾曲の調整を像面湾曲調整という。投射レンズユニット２００は、プロジェクタ１００に一体に設けられてもよいし、交換可能に装着されてもよい。
【００１８】
図２（ａ）〜（ｃ）を用いて、フォーカス調整について説明する。図２（ａ）〜（ｃ）には、図１に示した光変調部１０２と、フォーカス調整部１０５により駆動されるフォーカスレンズ（フォーカス光学系）１０５ａと、像面湾曲調整部１０６により駆動されるは湾曲調整レンズ（像面湾曲光学系）１０６ａと、像面４００とを示す。５００は光変調部１０２における変調面の位置を、５０１は湾曲調整レンズ１０６ａの基準位置を、５０２はフォーカスレンズ１０５ａの基準位置を、５０３は被投射面３００の基準位置（以下、スクリーン基準位置という）をそれぞれ示す。
【００１９】
また、６００は投射光学系２００ａの光軸上（図では投射画像の中心）における焦点距離であり、６０１，６０２はそれぞれ、光軸から離れた周辺位置での焦点距離である。投射画像（像面）のうち、投射光学系２００ａの光軸が交差する位置を含んで該交差位置に近い領域を第１の領域としての中心領域といい、該中心領域よりも外側の領域を第２の領域としての周辺領域という。
【００２０】
図２（ａ）は、スクリーン基準位置５０３に対して平面としての像面４００の位置が一致して投射画像のピントが合っている状態を示す。図２（ａ）の状態に対して、図２（ｂ），（ｃ）に示すように、フォーカスレンズ１０５ａがその基準位置５０２から光軸方向前後に移動することによって、像面４００の位置がスクリーン基準位置５０３に対して前後に移動する。ことにより、フォーカス調整が行われる。
【００２１】
図３（ａ），（ｂ）および図４（ａ），（ｂ）を用いて、像面湾曲調整について説明する。図３（ａ），（ｂ）に示すように湾曲調整レンズ１０６ａがその基準位置５０１から前後に移動すると、像面４００の周辺領域に対する投射光学系２００ａの焦点距離６０１，６０２が変動することなく中心領域に対する焦点距離６００が変化する。すなわち、像面４００の周辺領域のピント位置が固定されたまま中心領域のピント位置が前後に移動する。これにより、像面４００が湾曲する。このように像面４００の中心領域のピント位置を移動させて像面４００を湾曲させることを、第１の像面湾曲調整という。
【００２２】
また、図４（ａ），（ｂ）に示すようにフォーカスレンズ１０５ａと湾曲調整レンズ１０６ａが共にそれらの基準位置５０１，５０２から前後に移動することによって、像面４００の中心領域に対する焦点距離６００が変動することなく周辺領域に対する焦点距離６０１，６０２が変化する。すなわち、像面４００の中心領域のピント位置が固定されたまま周辺領域のピント位置が前後に移動する。これにより、像面４００が湾曲する。このように像面４００の周辺領域のピント位置を移動させて像面４００を湾曲させることを、第２の像面湾曲調整という。
【００２３】
次に、ユーザが像面４００のうち像面湾曲調整によりピント位置を前後に移動させたい領域（以下、ピント位置移動領域という）を選択するためのガイドとなるＯＳＤ画像（以下、調整ガイド画像という）を投射表示するガイド表示処理について説明する。
【００２４】
このガイド表示処理は、ＯＳＤ部１１１および映像処理部１１２により構成される領域表示手段が行う。具体的には、操作入力部１０３からの操作情報としてピント位置調整指示を受け取った制御部１０４が、ＯＳＤ部１１１にＯＳＤ画像信号としての調整ガイド画像信号を作成させる。映像処理部１１２は、調整ガイド画像信号と映像信号を合成した変調用映像信号を変調駆動信号に変換して光変調部１０２に出力する。光変調部１０２がこの変調駆動信号に応じて駆動されることで、被投射面３００に調整ガイド画像が投射表示される。
【００２５】
図５は、調整ガイド画像３１０の例を示している。調整ガイド画像３１０は、それぞれピント位置移動領域として選択可能な中心領域を示す第１のガイドパーツ３１１と周辺領域（四隅付近の領域）を示す第２のガイドパーツ３１２とを含む。
【００２６】
ユーザは、表示された調整ガイド画像を参照して、操作入力部１０３を通じてピント位置移動領域として中心領域または周辺領域を選択する。制御部１０４は、操作入力部１０３から操作情報として受け取ったピント位置移動領域の情報に応じて、図３（ａ），（ｂ）に示した第１の像面湾曲調整および図４（ａ），（ｂ）に示した第２の像面湾曲調整のうち一方を行う。ピント位置移動領域の情報にはユーザにより選択（指示）されたピント位置の移動方向（プロジェクタ１００に対して近側または遠側）の情報も含まれており、制御部１０４は該移動方向にピント位置を移動させる。
【００２７】
図６（ａ）〜（ｃ）は、調整ガイド画像３１０の例を示す。図６（ａ）〜（ｃ）では、投射画像３０１の一部に調整ガイド画像３１０が合成（重畳）表示されている。中心領域がピント位置移動領域としてユーザにより選択された場合は図６(ａ)に示すように第１のガイドパーツ３１１がハイライト表示され、周辺領域が選択された場合は図６(ｂ)に示すように第２のガイドパーツ３１２がハイライト表示される。また、中心領域と周辺領域の両方がピント位置移動領域として選択された場合、つまりは図２に示したフォーカス調整が選択された場合には、図６（ｃ）に示すように第１および第２ガイドパーツ３１１，３１２がハイライト表示される。このように、選択されたピント位置移動領域をユーザに視覚的に分かり易く表示することができる。
【００２８】
また、図７（ａ）〜（ｃ）に示すように、調整ガイド画像３１０の第１および第２のガイドパーツ３１１，３１２を投射画像３０１の全体に合成して表示することも可能である。この場合も、ピント位置移動領域として中心領域が選択された場合、周辺領域が選択された場合およびこれらの両方が選択された場合はそれぞれ、図７(ａ)、図７(ｂ)および図７（ｃ）に示すように、第１および第２のガイドパーツ３１１，３１２のうち一方または両方がハイライト表示される。この場合でも、選択されたピント位置移動領域をユーザに視覚的に分かり易く表示することができる。
【００２９】
さらに図８に示すように、選択可能なピント位置移動領域を文字で表現した調整ガイド画像３１０を表示してもよい。図８は、ピント位置移動領域として周辺領域が選択された様子を示している。
【００３０】
図９のフローチャートを用いて、本実施例において制御部１０４が行うピント位置移動処理について説明する。このピント位置移動処理には、上述したガイド表示処理も含まれる。コンピュータとしての制御部１０４は、コンピュータプログラムに従って本処理を実行する。以下の説明において、「Ｓ」はステップを意味する。
【００３１】
Ｓ１０１において、制御部１０４は、操作入力部１０３からユーザ操作に応じて出力されたピント位置調整指示に応じてＯＳＤ部１１１に調整ガイド画像信号を作成させ、さらに映像処理部１１２に調整ガイド画像信号を含む変調駆動信号を光変調部１０２に出力させる。これにより、調整ガイド画像が投射表示される。
【００３２】
次にＳ１０２では、制御部１０４は、操作入力部１０３からユーザにより選択されたピント位置移動領域の情報を取得する。前述したように、ピント位置移動領域の情報にはユーザにより指示されたピント位置の移動方向（以下、ピント移動指示方向という）の情報も含まれる。
【００３３】
そしてＳ１０３では、制御部１０４は、選択されたピント位置移動領域が中心領域のみか否かを判定し、中心領域のみである場合はＳ１０４に進み、そうでなければＳ１０５に進む。
【００３４】
Ｓ１０４では、制御部１０４は、像面湾曲調整部１０６に湾曲調整レンズ１０６ａをピント移動指定方向に駆動させる。これにより、図３（ａ）または図３（ｂ）に示した第１の像面湾曲調整が行われる。
【００３５】
一方、Ｓ１０５では、制御部１０４は、選択されたピント位置移動領域が周辺領域のみか否かを判定し、周辺領域のみである場合はＳ１０６に進み、そうでなければＳ１０７に進む。
【００３６】
Ｓ１０６では、制御部１０４は、フォーカス調整部１０５と像面湾曲調整部１０６にそれぞれフォーカスレンズ１０５ａと湾曲調整レンズ１０６ａをピント移動指定方向に駆動させる。これにより、図４（ａ）または図４（ｂ）に示した第２の像面湾曲調整が行われる。
【００３７】
Ｓ１０７では、制御部１０４は、選択されたピント位置移動領域が中心領域と周辺領域両方か否かを判定し、両方である場合はＳ１０８に進み、そうでなければ本処理を終了する。
【００３８】
Ｓ１０８では、制御部１０４は、フォーカス調整部１０５にフォーカスレンズ１０５ａをピント移動指定方向に駆動させる。これにより、図２（ｂ）または図２（ｃ）に示したフォーカス調整が行われる。
【００３９】
以上説明したように、本実施例によれば、ユーザが像面のうちピント位置移動領域を選択する際のガイドとなる調整ガイド画像を表示することができる。このため、ユーザは像面湾曲調整およびフォーカス調整を簡単に行うことができる。
【００４０】
なお、第１または第２の像面湾曲調整によって湾曲した像面を平面に戻す際にも、ピント位置移動領域として中心領域または周辺領域をユーザに選択させ、その結果に応じて制御部１０４に像面湾曲調整部１０６またはこれとフォーカス調整部１０５とを制御させる。
言い換えれば、中心領域のピント位置を移動前の位置に戻して像面を平面に戻すか、周辺領域のピント位置を移動前の位置に戻して像面を平面に戻すかのユーザ選択に応じて投射光学系２００ａを制御する。これにより、湾曲した像面をユーザ選択に応じて簡単に平面に戻すことができる。
【実施例２】
【００４１】
図１０は、本発明の実施例２であるプロジェクタ１００′の構成を示している。本実施例において、実施例１と共通する構成要素には実施例１と同符号を付す。本実施例のプロジェクタ１００′は、レンズシフト調整部１０７を有する点で実施例１のプロジェクタ１００と異なる。また、本実施例における投射レンズユニット２００′は、ズーム調整部１０８を有する点で実施例１の投射レンズユニット２００と異なる。
【００４２】
レンズシフト調整部１０７は、電動またはユーザの手動によって投射レンズユニット２００′を光軸に直交する方向（水平方向および垂直方向）にシフトさせるシフト機構と、投射レンズユニット２００′の各シフト方向での位置（以下、シフト位置という）を取得するセンサとを有する。また、ズーム調整部１０８は、電動または手動によって投射光学系２００ａ′のうちズームレンズ（ズーム光学系）を光軸方向に移動させて投射画角を変更するズーム駆動機構と、該ズームレンズの位置（以下、ズーム位置という）を取得するセンサとを有する。
【００４３】
図１１（ａ）〜（ｄ）は、プロジェクタ１００′、投射レンズユニット２００′、像面（投射画像）４００およびスクリーン基準位置５０３を側面から見て示している。６１０は投射光学系２００ａ′の光軸であり、６２０は投射光を示す。
【００４４】
図１１（ａ），（ｂ）は、像面４００の中心が光軸６１０上に位置する場合、すなわち投射レンズユニット２００′がシフトしていない状態を示す。図１１（ａ）において実施例１で説明した第２の像面湾曲調整を行うと、像面４００の中心領域のピント位置はスクリーン基準位置５０３から移動せず、周辺領域のピント位置が近側または遠側に移動する。また図１１（ｂ）において実施例１で説明した第１の像面湾曲調整を行うと、像面４００の周辺領域のピント位置はスクリーン基準位置５０３から移動せず、中心領域のピント位置が近側または遠側に移動する。これらの場合は、スクリーン基準位置５０３からのピント位置の移動量が、光軸６１０上の位置から離れるほど同心円状に大きくなる。
【００４５】
一方、図１１（ｃ），（ｄ）は、像面４００の下辺が光軸６１０上の位置となるように投射レンズユニット２００′を垂直方向にのみシフトさせた（このシフト位置を垂直５０％シフト位置という）状態を示す。この状態において第２および第１の像面湾曲調整を行うと、像面４００の上辺側の領域と下辺側の領域とでピント位置の移動量が異なる。このように、像面４００と光軸６００との位置関係が変わることによって、像面湾曲調整によってピント位置が移動する領域とその移動量が変わる。
【００４６】
このため、本実施例では、制御部１０４はレンズシフト調整部１０７から現在の投射レンズユニット２００′のシフト位置を取得して変調駆動部１１０のＯＳＤ部１１１に通知する。そしてＯＳＤ部１１１にシフト位置に応じた第１および第２のガイドパーツの位置を算出させ、これらガイドパーツを表示可能な調整ガイド画像信号を生成させる。これにより、シフト位置に応じた第１および第２のガイドパーツを含む調整ガイド画像が投射表示される。
【００４７】
図１２（ａ）〜（ｃ）は、現在のシフト位置が前述した垂直５０％シフト位置（水平方向はシフト量が０％のシフト位置）である場合の調整ガイド画像３１０′を示している。この調整ガイド画像３１０′は、その下辺付近に投射画像３０１（像面４００）における光軸６００上の位置を含む第１の領域を示す第１のガイドパーツ３１１′と、上辺側に第１の領域よりも外側の第２の領域を示す第２のガイドパーツ３１２′とを含む。
【００４８】
図１２（ａ）は、ピント位置移動領域として第１の領域が選択された場合に、第１のガイドパーツ３１１′がハイライト表示されている状態を示す。図１２（ｂ）は、ピント位置移動領域として第２の領域が選択された場合に、第２のガイドパーツ３１２′がハイライト表示されている状態を示す。図１２（ｃ）は、ピント位置移動領域として第１および第２の領域の両方が選択された場合に、第１および第２のガイドパーツ３１１′，３１２′がハイライト表示されている状態を示す。このように、投射レンズユニット２００′がシフトされた状態でも、選択されたピント位置移動領域をユーザに視覚的に分かり易く表示することができる。
【００４９】
なお、ＯＳＤ部１１１は、投射レンズユニット２００′のシフト位置に応じて第１および第２のガイドパーツに対する伸縮調整を行ってもよい。また、シフト位置ごとの第１および第２のガイドパーツを予め用意（記憶）しておき、実際のシフト位置に応じた第１および第２のガイドパーツを選択して用いてもよい。
【００５０】
図１３（ａ），（ｂ）も、プロジェクタ１００′、投射レンズユニット２００′、像面（投射画像）４００およびスクリーン基準位置５０３を側面から見て示している。これらの図から分かるように、投射光学系２００ａ′をズーム動作させると、投射光６２０の幅、すなわち投射画角が変化する。そして、投射画角に応じて、像面湾曲調整によってピント位置が移動する領域やその移動量が変化する。具体的には、図１３に示すように投射画角が小さいと、図１３（ａ）に示すように投射画角が大きい場合に比べてピント位置を移動させることができる周辺領域が小さくなり、その移動量も小さくなる。
【００５１】
制御部１０４は、フォーカス調整部１０５から取得したフォーカスレンズの位置（フォーカス位置）とズーム調整部１０８から取得したズーム位置とから投射距離（投射光学系２００ａ′からスクリーン基準位置５０３までの距離）を求める。そして、予め保持していた投射光学系２００ａ′のズーム位置ごとの拡大倍率（投射比）と投射距離との関係から投射画角を算出する。制御部１０４は、算出した投射画角を変調駆動部１１０に通知することで、ＯＳＤ部１１１に、通知された投射画角に応じた第１および第２のガイドパーツの位置を算出させ、これらを表示可能な調整ガイド画像信号を生成させる。これにより、ズーム位置に応じた第１および第２のガイドパーツを含む調整ガイド画像が投射表示される。
【００５２】
図１４は、投射レンズユニット２００′がシフトしていない状態において投射画角を図１３（ａ）に示す投射画角から図１３（ｂ）に示す投射画角に小さくした場合の調整ガイド画像を示している。ズーム前の投射画像３０１のサイズに対してズーム後の投射画像３０２のサイズが小さくなっている。このとき、ピント位置を移動させることができる周辺領域が小さくなることに応じて、調整ガイド画像における第２のガイドパーツ３１２′もズーム前の大きさに比べて小さくする。これにより、投射画角（ズーム位置）に応じて変化するピント位置移動領域を分かり易く表示することができる。
【００５３】
なお、ＯＳＤ部１１１は、投射レンズユニット２００′のズーム位置に応じて第１および第２のガイドパーツに対する伸縮調整を行ってもよい。また、ズーム位置ごとの第１および第２のガイドパーツを予め用意（記憶）しておき、実際のズーム位置に応じた第１および第２のガイドパーツを選択して用いてもよい。
【００５４】
次に、図１５を用いて、光変調部１０２がその変調面の一部に原画を形成する場合について説明する。例えば、光変調部１０２の変調面のアスペクトが１６：１０であるのに対して、入力される映像信号のアスペクト（入力アスペクト）が４：３である場合にについて説明する。この場合、映像処理部１１２は、図１５に示すように入力アスペクトに対応する４：３のアスペクトの映像領域３２０とその左右両端に配置された黒領域３２１とを含む投射アスペクトが１６：１０の投射映像３０１を投射するための変調駆動信号を生成する。制御部１０４は、ＯＳＤ部１１１に、入力アスペクトと投射アスペクトに応じた第１および第２のガイドパーツ３１１′，３１２′の位置を算出させ、これらを表示可能な調整ガイド画像信号を生成させる。これにより、投射画像３０１のうち黒領域３２１を除いた映像領域３２０内に調整ガイド画像を表示することができ、ピント位置移動領域を分かり易く表示することができる。
【００５５】
なお、ＯＳＤ部１１１は、入力アスペクトと投射アスペクトに応じて第１および第２のガイドパーツに対する伸縮調整を行ってもよい。また、入力アスペクトと投射アスペクトの組み合わせごとの第１および第２のガイドパーツを予め用意（記憶）しておき、実際の組み合せに応じた第１および第２のガイドパーツを選択して用いてもよい。
【００５６】
また、図示はしないが、変調駆動部１１０内で検出した入力映像信号のAVIInfoframe等から入力映像信号の解像度やアスペクトの情報を取得し、ＯＳＤ部１１１にてそれらの情報に応じたガイドパーツを表示可能な調整ガイド画像信号を生成してもよい。
【００５７】
さらに、映像処理部１１２が歪み補正手段として投射画像の歪みを低減するために映像信号を補正する処理（例えば、台形補正処理）を行う機能を有する場合には、ＯＳＤ部１１１にてその歪み補正量に応じたガイドパーツを表示可能な調整ガイド画像信号を生成してもよい。
【００５８】
この場合も、ＯＳＤ部１１１は、歪み補正量に応じて第１および第２のガイドパーツに対する伸縮調整を行ってもよい。また、歪み補正量ごとの第１および第２のガイドパーツを予め用意（記憶）しておき、実際の組み合せに応じた第１および第２のガイドパーツを選択して用いてもよい。
【００５９】
図１６のフローチャートを用いて、本実施例において制御部１０４が行うピント位置移動処理について説明する。Ｓ２０１において、制御部１０４は、操作入力部１０３からユーザ操作に応じて出力されたピント位置調整指示に応じて、ＯＳＤ部１１１に、投射レンズユニット２００′のシフト位置、ズーム位置、入力アスペクト、投射アスペクトおよび歪み補正量の情報を取得させる。そしてＯＳＤ部１１１に、これらの情報を用いて第１および第２のガイドパーツ３１１′，３１２′の位置を算出させる。
【００６０】
次にＳ２０２では、制御部１０４は、ＯＳＤ部１１１に、位置を算出した第１および第２のガイドパーツ３１１′，３１２′を表示させるための調整ガイド画像信号を作成させ、さらに映像処理部１１２に調整ガイド画像信号を含む変調駆動信号を光変調部１０２に出力させる。これにより、調整ガイド画像が投射表示される。
【００６１】
次のＳ２０３〜Ｓ２０９はそれぞれ、実施例１の図９で説明したＳ１０２〜Ｓ１０８と同じである。
【００６２】
以上説明したように、本実施例によれば、シフト位置、ズーム位置、入力アスペクト、投射アスペクトおよび歪み補正量に応じた調整ガイド画像を表示することができる。このため、ユーザは像面湾曲およびフォーカス調整を簡単に行うことができる。
【実施例３】
【００６３】
図１７は、本発明の実施例３であるプロジェクタ１００″の構成を示している。本実施例において、実施例２と共通する構成要素には実施例２と同符号を付す。本実施例のプロジェクタ１００″は、構成要素については実施例２のプロジェクタ１００′と同じであるが、投射レンズユニット２００″が交換可能に装着されている点で実施例２のプロジェクタ１００′と異なる。また、本実施例における投射レンズユニット２００″は、記憶手段としてのレンズ記録部１０９を有する点で、実施例２における投射レンズユニット２００′と異なる。
【００６４】
レンズ記録部１０９は、投射レンズユニット２００″の機種や識別情報等のレンズ情報または投射光学系２００ａ′で得られる像面湾曲量の情報を記録している。制御部１０４は、投射レンズユニット２００″のレンズ情報または像面湾曲量情報をレンズ記録部１０９から取得して変調駆動部１１０に通知する。
【００６５】
変調駆動部１１０内のＯＳＤ部１１１は、予め複数の投射レンズユニットまたは像面湾曲量に対応する第１および第２のガイドパーツを記憶している。ＯＳＤ部１１１は、それらの第１および第２のガイドパーツの中から、制御部１０４から受け取ったレンズ情報または像面湾曲量情報（つまりは現在装着されている投射レンズユニット２００″）に対応する第１および第２のガイドパーツを選択する。そして、これら第１および第２のガイドパーツを表示するための調整ガイド画像信号を生成する。映像処理部１１２は、この調整ガイド画像信号を含む変調駆動信号を生成する。これにより、投射レンズユニット２００″に対する第１および第２のガイドパーツを含む調整ガイド画像が投射表示される。すなわち、像面湾曲量が互いに異なる複数の投射レンズユニットがプロジェクタ１００″に装着可能である場合において、現在装着されている投射レンズユニットに対応するガイドパーツを含む調整ガイド画像を表示することができる。
【００６６】
図１８のフローチャートを用いて、本実施例において制御部１０４が行うピント位置移動処理について説明する。Ｓ３０１において、制御部１０４は、操作入力部１０３からユーザ操作に応じて出力されたピント位置調整指示に応じて、ＯＳＤ部１１１にレンズ記録部１０９から取得したレンズ情報または像面湾曲量の情報を通知する。そしてＯＳＤ部１１１に通知されたレンズ情報または像面湾曲量情報に対応する第１および第２のガイドパーツを選択させる。
【００６７】
次にＳ３０２において、制御部１０４は、操作入力部１０３からユーザ操作に応じて出力されたピント位置調整指示に応じて、ＯＳＤ部１１１に、投射レンズユニット２００″のシフト位置、ズーム位置、入力アスペクト、投射アスペクトおよび歪み補正量の情報を取得させる。そしてＯＳＤ部１１１に、それらの情報を用いて第１および第２のガイドパーツの位置を算出させる。
【００６８】
次にＳ３０３では、制御部１０４は、ＯＳＤ部１１１に、位置を算出した第１および第２のガイドパーツを表示させるための調整ガイド画像信号を作成させ、映像処理部１１２に調整ガイド画像信号を含む変調駆動信号を光変調部１０２に出力させる。これにより、調整ガイド画像が投射表示される。
【００６９】
次のＳ３０４〜Ｓ３１０はそれぞれ、実施例１の図９で説明したＳ１０２〜Ｓ１０８と同じである。
【００７０】
以上説明したように、本実施例によれば、複数の投射レンズユニットのうち現在装着されている投射レンズユニットに対応する調整ガイド画像を表示することができる。このため、ユーザは像面湾曲およびフォーカス調整を簡単に行うことができる。
【実施例４】
【００７１】
図１９は、本発明の実施例４であるプロジェクタが投射表示する調整ガイド画像３１０″を示している。この調整ガイド画像３１０″は、実施例１に示した調整ガイド画像３１０に対する変形例である。
【００７２】
調整ガイド画像３１０″は、それぞれピント位置移動領域として選択可能な中心領域を示す矩形枠としての第１のガイドパーツ３１１″と周辺領域を示す矩形枠としての４つの第２のガイドパーツ３１２″とを含む。
本実施例でも、ユーザが像面のうちピント位置移動領域を選択する際のガイドとなる調整ガイド画像を表示することができる。このため、ユーザは像面湾曲調整およびフォーカス調整を簡単に行うことができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００７３】
以上説明した各実施例は代表的な例にすぎず、本発明の実施に際しては、各実施例に対して種々の変形や変更が可能である。
【符号の説明】
【００７４】
１００，１００′，１００″  プロジェクタ
１０４  制御部
１０５  フォーカス調整部
１０６  像面湾曲調整部
１１０  変調駆動部
２００，２００′，２００″  投射レンズユニット
３１０  調整ガイド画像
【図１】
2020144244.tif 000003
【図２】
2020144244.tif 000004
【図３】
2020144244.tif 000005
【図４】
2020144244.tif 000006
【図５】
2020144244.tif 000007
【図６】
2020144244.tif 000008
【図７】
2020144244.tif 000009
【図８】
2020144244.tif 000010
【図９】
2020144244.tif 000011
【図１０】
2020144244.tif 000012
【図１１】
2020144244.tif 000013
【図１２】
2020144244.tif 000014
【図１３】
2020144244.tif 000015
【図１４】
2020144244.tif 000016
【図１５】
2020144244.tif 000017
【図１６】
2020144244.tif 000018
【図１７】
2020144244.tif 000019
【図１８】
2020144244.tif 000020
【図１９】
2020144244.tif 000021